(57)【要約】路面に接地する接地面を持つアウトソールと、アウトソールの上に配置されたミッドソールとを備えた靴底において、ミッドソールは後足部の中央部およびアーチ部において露出しており、靴底の後足部の中央部および外側部には、後足部において後足部の外側の外縁まで斜めの前後方向に延びる斜溝が形成されており、母趾球と小趾球との中点と踵の中心とを結んだ長軸と斜溝の仮想の中心ラインとのなす角βが１２°〜３５°の範囲に設定され、中心ラインと前記長軸との仮想の交点が靴底の長軸上の全長に対し後端から２１％〜４３％の範囲に設定され、交点よりも前方の内側まで延びている。
2013168259.tif 000002
【特許請求の範囲】
【請求項１】
路面に接地する接地面を持つアウトソール１と、前記アウトソール１の上に配置されたミッドソール２とを備えた靴底において、
前記靴底の後足部Ｒの中央部および外側部には、前記後足部Ｒにおいて前記後足部Ｒの外側の外縁まで斜めの前後方向に延びる斜溝４が形成されており、
母趾球Ｏ１と小趾球Ｏ５との中点Ｏ３と踵の中心Ｏ４とを結んだ長軸Ａ２と前記斜溝４の仮想の中心ラインＬｃとのなす角βが１２°〜３５°の範囲に設定され、
前記中心ラインＬｃと前記長軸Ａ２との仮想の交点Ｏが靴底の前記長軸Ａ２上の全長に対し後端から２１％〜４３％の範囲に設定され、前記交点Ｏよりも前方の内側まで延びている。
【請求項２】
請求項１の靴底において、前記斜溝４は前記交点Ｏよりも前方の前方部４Ｆと、前記交点Ｏよりも後方の後方部４Ｂと有し、
前記後方部４Ｂの斜溝４の容積が前記前方部４Ｆの斜溝４の容積よりも大きい。
【請求項３】
請求項１もしくは２の靴底において、前記斜溝４は靴底の内側の縁まで延びていない。
【請求項４】
請求項１、２もしくは３の靴底において、前記アウトソール１の斜溝４は斜後方に向かって末広がりに形成されている。
【請求項５】
請求項１〜４のいずれか１項の靴底において、前記斜溝４に対し直交する方向に延びる横断溝５を更に備える。
【請求項６】
請求項１〜５のいずれか１項の靴底において、
前記アウトソール１は、前足部Ｆと前記後足部Ｒとの間のアーチ部Ｍを覆わず前記前足部Ｆおよび前記後足部Ｒに分かれて配置され、
前記ミッドソール２のアーチ部Ｍの下面には樹脂の非発泡体で形成された強化部材３が付着されており、
前記強化部材３は前記斜溝４と概ね平行に延びる斜め部３１を有し、この斜め部３１は前記斜溝４の前方において前記斜溝４に接近して配置されている。
【請求項７】
路面に接地する接地面を持つアウトソール１と、前記アウトソール１の上に配置されたミッドソール２とを備え、前足部Ｆ、アーチ部Ｍおよび後足部Ｒにおいて足を支持する靴底において、
前記アウトソール１は、前記アーチ部Ｍを覆わず前記前足部Ｆおよび後足部Ｒに分かれて配置され、かつ、前記後足部Ｒにおいて足の内側ＩＮおよび外側ＯＵＴの中央部Ｒｃが欠損したＵ字状に形成され、
前記ミッドソール２は前記後足部Ｒの前記中央部Ｒｃおよび前記アーチ部Ｍにおいて露出しており、
前記ミッドソール２の後足部Ｒの前記中央部Ｒｃおよびアウトソール１の後足部Ｒの外側部１１には、前記後足部Ｒにおいて前記後足部Ｒの外側ＯＵＴの外縁まで斜めの前後方向に延びる斜溝４が形成されており、
母趾球Ｏ１と小趾球Ｏ２との中点Ｏ３と踵の中心Ｏ５とを結んだ長軸Ａ２と前記斜溝４の仮想の中心ラインＬｃとのなす角βが１２°〜３５°の範囲に設定され、
前記中心ラインＬｃと前記長軸Ａ２との仮想の交点Ｏが前記アーチ部Ｍの後半部Ｍｂから前記後足部Ｒの前半部Ｒｆまでの領域に配置されている。
【請求項８】
請求項７の靴において、前記仮想の交点Ｏの位置が前記中央部Ｒｃの図心Ｇよりも前方に配置されている。
【請求項９】
請求項８の靴において、前記ミッドソール２の後足部Ｒの中央部Ｒｃに形成された前記斜溝４は一対の互いに対面する第１および第２の縁のラインＬ１，Ｌ２で定義され、
前記アウトソール１に形成された前記斜溝４は、一対の互いに対面する第３および第４の縁のラインＬ３，Ｌ４で定義され、
前記第３および第４の縁のラインＬ３，Ｌ４が、それぞれ、前記第１および第２の縁のラインＬ１，Ｌ２に概ね平行であるか、あるいは、前記第１および第２の縁のラインＬ１，Ｌ２が形成する角よりも大きな角で末広がりに形成されている。
【請求項１０】
請求項７〜９のいずれか１項の靴底において、前記斜溝４は前記アーチ部Ｍのミッドソール２の内側部２０にまで延びて形成され、前記アーチ部Ｍの斜溝４の前記中心ラインＬｃに直交する横断面積の平均値は前記ミッドソール２の後足部Ｒの中央部Ｒｃの斜溝４のそれよりも小さい。
【請求項１１】
請求項７〜９のいずれか１項の靴底において、前記斜溝４は前記アーチ部Ｍのミッドソール２の内側部２０の縁まで延びておらず、かつ、前記アーチ部Ｍの前端よりも後方に前記斜溝４の先端が配置されている。
【請求項１２】
請求項７〜１１のいずれか１項の靴底において、前記アウトソール１の前記斜溝４は斜後方に向かって末広がりに形成されている。
【請求項１３】
請求項７〜１２のいずれかの１項の靴底において、前記斜溝４に対し、直交する横断溝を更に備える。
【請求項１４】
請求項７〜１３のいずれか１項の靴底において、前記ミッドソール２のアーチ部Ｍの下面には樹脂の非発泡体で形成された強化部材３が付着されており、
前記強化部材３は前記斜溝４と概ね平行に延びる斜め部３１を有し、この斜め部３１は前記斜溝４の前方において前記斜溝４に接近して配置されている。
【請求項１５】
請求項１４の靴底において、前記斜め部３１は前記前足部Ｆまで延びている。
【請求項１６】
請求項１５の靴底において、前記強化部材３は前記アーチ部Ｍにおいて前記ミッドソール２の外側の縁に沿って延びる外側部３２を更に備え、
前記外側部３２と前記斜め部３１との間において前記ミッドソール２の下面が露出する。
【請求項１７】
路面に接地する接地面を持つアウトソール１と、前記アウトソール１の上に配置されたミッドソール２とを備え、前足部Ｆ、アーチ部Ｍおよび後足部Ｒにおいて足を支持する靴底において、
前記アウトソール１は、前記アーチ部Ｍを覆わず前記前足部Ｆおよび前記後足部Ｒに分かれて配置され、
前記ミッドソール２および前記アウトソール１には、前記後足部Ｒにおいて前記後足部Ｒの外側の外縁まで斜めの前後方向に延びる斜溝４が形成されており、
母趾球Ｏ１と小趾球Ｏ５との中点Ｏ３と踵の中心とを結んだ長軸Ａ２と前記斜溝４の仮想の中心ラインＬｃとのなす角βが１２°〜３５°の範囲に設定され、
前記中心ラインＬｃと前記長軸Ａ２との仮想の交点Ｏが前記アーチ部Ｍの後半部Ｍｂから前記後足部Ｒの前半部Ｒｆまでの領域に配置され、
前記ミッドソール２のアーチ部Ｍの下面には樹脂の非発泡体で形成された強化部材３が付着されており、
前記強化部材３は前記斜溝４と概ね平行に延びる斜め部３１を有し、この斜め部３１は前記斜溝４の前方において前記斜溝４に接近して配置されている。
【請求項１８】
請求項１７において、前記斜め部３１は前記前足部Ｆまで延びている。
【請求項１９】
請求項１８において、前記強化部材３は前記アーチ部Ｍにおいて前記ミッドソール２の外側に沿って延びる外側部３２を更に備え、
前記外側部３２と前記斜め部３１との間において前記ミッドソール２の下面が露出する。
【発明の詳細な説明】
【技術分野】
【０００１】
本発明は斜溝を持つ靴底に関する。
【背景技術】
【０００２】
従来より、斜溝を持つ靴底は公知である。（特許文献１）
【先行技術文献】
【特許文献】
【０００３】
【特許文献１】ＪＰ２００８−６２０  Ａ（図４、図１０(ｂ)）
【特許文献２】ＪＰ  Ｈ０７−２３６５０３  Ａ
【発明の概要】
【０００４】
周知のとおり、靴底は軽量で、踵部の外反を抑制でき、かつ、踵部の衝撃緩衡を図る機能が求められる。
しかし、斜溝を靴底に形成するだけでは前記機能を十分に発揮し得ない。
【０００５】
したがって、本発明の目的は適切な斜溝を形成することで、前記各機能を発揮させることである。
【０００６】
本発明は、１つの局面において、路面に接地する接地面を持つアウトソール１と、前記アウトソール１の上に配置されたミッドソール２とを備えた靴底において、
前記靴底の後足部Ｒの中央部および外側部には、前記後足部Ｒにおいて前記後足部Ｒの外側の外縁まで斜めの前後方向に延びる斜溝４が形成されており、
母趾球Ｏ１と小趾球Ｏ５との中点Ｏ３と踵の中心Ｏ４とを結んだ長軸Ａ２と前記斜溝４の仮想の中心ラインＬｃとのなす角βが１２°〜３５°の範囲に設定され、
前記中心ラインＬｃと前記長軸Ａ２との仮想の交点Ｏが靴底の前記長軸Ａ２上の全長に対し後端から２１％〜４３％の範囲に設定され、前記交点Ｏよりも前方の内側まで延びている。
【０００７】
本発明は、別の局面において、路面に接地する接地面を持つアウトソール１と、前記アウトソール１の上に配置されたミッドソール２とを備え、前足部Ｆ、アーチ部Ｍおよび後足部Ｒにおいて足を支持する靴底において、
前記アウトソール１は、前記アーチ部Ｍを覆わず前記前足部Ｆおよび後足部Ｒに分かれて配置され、かつ、前記後足部Ｒにおいて足の内側ＩＮおよび外側ＯＵＴの中央部Ｒｃが欠損したＵ字状に形成され、
前記ミッドソール２は前記後足部Ｒの前記中央部Ｒｃおよび前記アーチ部Ｍにおいて露出しており、
前記ミッドソール２の後足部Ｒの前記中央部Ｒｃおよびアウトソール１の後足部Ｒの外側部１１には、前記後足部Ｒにおいて前記後足部Ｒの外側ＯＵＴの外縁まで斜めの前後方向に延びる斜溝４が形成されており、
母趾球Ｏ１と小趾球Ｏ２との中点Ｏ３と踵の中心Ｏ５とを結んだ長軸Ａ２と前記斜溝４の仮想の中心ラインＬｃとのなす角βが１２°〜３５°の範囲に設定され、
前記中心ラインＬｃと前記長軸Ａ２との仮想の交点Ｏが前記アーチ部Ｍの後半部Ｍｂから前記後足部Ｒの前半部Ｒｆまでの領域に配置されている。
【０００８】
踵部の外反は、距骨下関節軸Ａ１まわりに足が回転する（捩れる）ことにより生じる。前記距骨下関節軸Ａ１は水平面内において、足部の解剖学的な前記長軸Ａ２に対し斜めに傾いている。この傾き角度は、Ｖ．Ｔ  Ｉｎｍａｎ（１９６９）によれば平均２３°で、個人差もあるため±１１°程度の幅を持つ。したがって、踵部の外反の抑制には前記２３°±１１°に傾いた距骨下関節軸Ａ１まわりの回転が小さくなるよう、ソールのねじれ剛性を保つことが重要である。
【０００９】
一般に、ねじりの軸上に溝が存在しても、その軸まわりでのねじれ剛性は溝がない場合と殆ど変わらない。そのため、本発明では斜溝４の存在により距骨下関節軸Ａ１のまわりの剛性は殆ど低下せず、ねじれに対する安定性が保たれる。
【００１０】
しかし、距骨下関節軸Ａ１の位置をソールの形状から特定することは著しい困難を伴う。そこで、本発明においては、距骨下関節軸Ａ１で発明を定義せずに、斜溝４のソールに対する位置、つまり前記交点Ｏの位置で定義した。
【００１１】
すなわち、１つの局面においては、前記交点Ｏの位置を靴底の後端からの寸法で定義し、一方、別の局面においては、前記交点Ｏの位置を靴底のアーチ部Ｍおよび後足部Ｒにおける位置によって定義した。
【００１２】
本明細書において、アーチ部Ｍとはアウトソール１が設けられていない中足の部位をいい、後足部Ｒとはアーチ部Ｍよりも後方の部位をいう。
【００１３】
本発明では斜溝４がソールの後足外側の外周まで達している。そのため、後足外側におけるソールの圧縮剛性は低下するものと考えられる。踵は後足外側から接地するが、踵が接地した直後には斜溝４がない場合に比べると、後足の外側が大きく圧縮変形し、ソール上面が傾くことが予想される。この傾きは外反とは反対の傾きであり、それにより、踵部の外反角度は、斜溝４がない場合に比較して小さいであろう。
【００１４】
また、前記後足外側の大きな変形により、衝撃緩衝性も向上する。
また、アウトソール１の欠損した中央部Ｒｃおよびアーチ部Ｍに加え、距骨下関節軸Ａ１に沿った斜溝４により、ソールの軽量化が図られる。
【００１５】
したがって、軽量化を実現しつつ、踵部の外反を抑制し、かつ、踵部の衝撃緩衝も向上する。
【００１６】
ここで、クレームされた斜溝４の配置により、斜溝４は、Ｕ字状（馬蹄形）のアウトソール１の後足部の外側を１２°〜３５°の角βで斜めに横切る。そのため、Ｕ字状で面積の小さいアウトソール１の外側における前記斜溝４の長さが長い。すなわち、Ｕ字状で面積の小さいアウトソール１に長い斜溝４が形成されている。したがって、前記軽量で、外反抑制および衝撃緩衝の効果が高い。
【００１７】
前記角βは本来２３°に設定されるべきところ、当該２３°では斜溝４の前端が母趾球Ｏ１の近傍に向かって延び、そのため、前足部Ｆの内側に斜溝４が形成される。そのような事態を避けるため角βは２０°〜３５°程度が好ましいかもしれない。なお、角βを２３°＋１１°＝３４°よりも１°大きい３５°以下とした理由は測定誤差を考慮したためである。
【００１８】
また、アウトソール１は後足部Ｒの中央部Ｒｃが欠損したＵ字状であるから、中央部Ｒｃが欠損していることによっても前記軽量化が図られる。ここで、前記中央部Ｒｃにはミッドソール２に斜溝４が形成されている。したがって、ミッドソール２も前記ねじれ剛性に寄与しつつ、前記軽量化等が図られる。
【図面の簡単な説明】
【００１９】
【図１】図１は本発明の一実施例にかかる靴を底面の後方から見た斜視図である。
【図２】図２は同靴を底面の外側から見た斜視図である。
【図３】図３は靴底の底面図である。
【図４】図４は同靴底の底面図である。
【図５】図５は同靴底のアーチ部および後足部の拡大底面図である。
【図６】図６は足の骨格を示す平面図である。
【図７】図７Ａは図３のＶＩＩＡ−ＶＩＩＡ線断面図、図７Ｂは図３のＶＩＩＢ−ＶＩＩＢ線断面図である。
【図８】図８Ａ〜図８Ｃは別の実施例にかかり、図８Ａはアーチ部における靴底の断面図、図８Ｂは後足部の前半部における同靴底の断面図、図８Ｃは後足部の後端における同靴底の断面図である。
【図９】図９は更に別の実施例を示す靴底の底面図である。
【発明を実施するための形態】
【００２０】
好ましくは、前記斜溝４は前記交点Ｏよりも前方の前方部４Ｆと、前記交点Ｏよりも後方の後方部４Ｂと有し、
前記後方部４Ｂの斜溝４の容積が前記前方部４Ｆの斜溝４の容積よりも大きい。
【００２１】
この場合、斜溝４の容積が大きい後方部４Ｂにおいては比較的変形が大きく、ミッドソール２の上面が沈み易く、したがって、着地のファーストストライクの衝撃を緩衡し易い。一方、斜溝４の容積が小さい前方部４Ｆにおいてはミッドソール２の上面が沈みにくく、足のアーチの内側で重心が滞留しにくい。
【００２２】
好ましくは、斜溝４は靴底の内側の縁まで延びていない。
この場合、ミッドソール２はアーチ部Ｍないし中足部において上面が沈みにくいだろう。
【００２３】
好ましくは、アウトソール１の斜溝４は斜後方に向かって末広がりに形成される。
この場合、前述と同様にファーストストライクの衝撃を緩衡し易く、かつ、足のアーチの内側で重心が滞留しにくい。
【００２４】
好ましくは、前記斜溝４に直交する方向に延びる横断溝５を更に備える。
かかる横断溝５はアウトソール１を足の外側において分断し、足の外側におけるアウトソール１やミッドソール２の変形を促すだろう。
【００２５】
好ましくは、前記アウトソール１は、前足部Ｆと後足部Ｒとの間のアーチ部Ｍを覆わず前足部Ｆおよび後足部Ｒに分かれて配置され、
前記ミッドソール２のアーチ部Ｍの下面には樹脂の非発泡体で形成された強化部材３が付着されており、
前記強化部材３は前記斜溝４と概ね平行に延びる斜め部３１を有し、この斜め部３１は前記斜溝４の前方において前記斜溝４に接近して配置されている。
【００２６】
この場合、アーチ部Ｍまたはその近傍の斜溝４によるアーチ部Ｍの低下を強化部材３の斜め部３１で抑制できるだろう。
【００２７】
好ましくは、前記仮想の交点Ｏの位置が前記中央部Ｒｃの図心Ｇよりも前方に配置されている。
かかる配置により、斜溝４が距骨下関節軸Ａ１上またはその近傍に配置される。
【００２８】
好ましくは、前記ミッドソール２の後足部Ｒの中央部Ｒｃに形成された斜溝４は一対の互いに対面する第１および第２の縁のラインＬ１，Ｌ２で定義され、
前記アウトソール１に形成された斜溝４は、一対の互いに対面する第３および第４の縁のラインＬ３，Ｌ４で定義され、
前記第３および第４の縁のラインＬ３，Ｌ４が、それぞれ、前記第１および第２の縁のラインＬ１，Ｌ２に概ね平行であるか、あるいは、第１および第２の縁のラインＬ１，Ｌ２が形成する角よりも大きな角で末広がりに形成されている。
【００２９】
この場合、ミッドソール２とアウトソール１の斜溝４が協働し、本発明の効果が高まる。
【００３０】
好ましくは、前記斜溝４は前記アーチ部Ｍのミッドソール２の内側部２０にまで延びて形成され、前記アーチ部Ｍの斜溝４の前記中心ラインＬｃに直交する横断面積の平均値は前記ミッドソール２の後足部Ｒの中央部Ｒｃの斜溝４のそれよりも小さい。
【００３１】
好ましくは、前記斜溝４は前記アーチ部Ｍのミッドソール２の内側部２０の縁まで延びておらず、かつ、前記アーチ部Ｍの前端よりも後方に前記斜溝４の先端が配置されている。
【００３２】
これらの場合、アーチ部Ｍの内側において斜溝４の横断面積が小さいか、あるいは、斜溝４がアーチ部Ｍの内側の縁まで延びておらず、アーチ部Ｍの内側におけるミッドソール上面の沈下が小さい。そのため、足の外反を抑制し得ると共に、重心がアーチ部Ｍの内側において滞留したりするのを抑制し得る。
【００３３】
好ましくは、前記アウトソール１の斜溝４は後方に向かって末広がりに形成されている。
【００３４】
好ましくは、前記斜溝４に対し、直交する横断溝を更に備える。
【００３５】
好ましくは、前記ミッドソール２のアーチ部Ｍの下面には樹脂の非発泡体で形成された強化部材３が付着されており、
前記強化部材３は前記斜溝４と概ね平行に延びる斜め部３１を有し、この斜め部３１は前記斜溝４の前方において前記斜溝４に接近して配置されている。
【００３６】
この場合、アーチ部Ｍまたはその近傍の斜溝４によるアーチ部Ｍの低下を強化部材３の斜め部３１で抑制できるだろう。
【００３７】
好ましくは、前記斜め部３１は前記前足部Ｆまで延びている。
この場合、過度なソールの屈曲を防ぎ、効率的な走行が可能となる。
【００３８】
好ましくは、前記強化部材３は前記アーチ部Ｍにおいて前記ミッドソール２の外側に沿って延びる外側部３２を更に備え、
前記外側部３２と前記斜め部３１との間において前記ミッドソール２の下面が露出する。
この場合、強化部材３の軽量化を図り得る。
【００３９】
本発明はある局面において、路面に接地する接地面を持つアウトソール１と、前記アウトソール１の上に配置されたミッドソール２とを備え、前足部Ｆ、アーチ部Ｍおよび後足部Ｒにおいて足を支持する靴底において、
前記アウトソール１は、前記アーチ部Ｍを覆わず前記前足部Ｆおよび後足部Ｒに分かれて配置され、
前記ミッドソール２およびアウトソール１には、前記後足部Ｒにおいて前記後足部Ｒの外側の外縁まで斜めの前後方向に延びる斜溝４が形成されており、
母趾球Ｏ１と小趾球Ｏ５との中点Ｏ３と踵の中心とを結んだ長軸Ａ２と前記斜溝４の仮想の中心ラインＬｃとのなす角βが１２°〜３５°の範囲に設定され、
前記中心ラインＬｃと前記長軸Ａ２との仮想の交点Ｏが前記アーチ部Ｍの後半部Ｍｂから前記後足部Ｒの前半部Ｒｆまでの領域に配置され、
前記ミッドソール２のアーチ部Ｍの下面には樹脂の非発泡体で形成された強化部材３が付着されており、
前記強化部材３は前記斜溝４と概ね平行に延びる斜め部３１を有し、この斜め部３１は前記斜溝４の前方において前記斜溝４に接近して配置されている。
【００４０】
この局面においては、アーチ部Ｍまたはその近傍の斜溝４によるアーチ部Ｍの低下を強化部材３の斜め部３１で抑制できるだろう。
【００４１】
好ましくは、前記斜め部３１は前記前足部Ｆまで延びている。
この場合、過度なソールの屈曲を防ぎ、効率的な走行が可能となる。
【００４２】
好ましくは、前記強化部材３は前記アーチ部Ｍにおいて前記ミッドソール２の外側に沿って延びる外側部３２を更に備え、
前記外側部３２と前記斜め部３１との間において前記ミッドソール２の下面が露出する。
この場合、強化部材３の軽量化が図られる。
【実施例】
【００４３】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４４】
以下、本発明の一実施例が図面にしたがって説明される。
図１および図２に示すように、靴底はアウトソール１およびミッドソール２を備えている。なお、図１〜図５においてはアウトソール１の接地面に形成された微細な溝（いわゆる意匠）は、省略されている。【００４５】
図３の規則正しい網点で示すように、アウトソール１は前足部Ｆおよび後足部Ｒに配置されている。アウトソール１は例えばゴムの発泡体又は非発泡体で形成され、路面と接する接地面１ｓ（図７Ａ）を有している。なお、図３において、アウトソール１には規則正しい大きい網点が施されている。【００４６】
ミッドソール２は、例えばＥＶＡなどの樹脂の発泡体で形成され、図２に示すように、アウトソール１の上に配置され、着地の衝撃を緩和するものである。そのため、ミッドソール２はアウトソール１よりも厚く形成されている。【００４７】
図１〜図３に示すように、ミッドソール２の下面２ｕ（図７Ａ）には、後述する斜溝４および横断溝５が設けられ、複数個のパーツに分離された前記アウトソール１が設けられている。これらの図に示すように、前記ミッドソール２は後足部Ｒの中央部Ｒｃおよび／またはアーチ部Ｍにおいて露出していてもよい。【００４８】
図３に明示するように、前記アウトソール１は、前記アーチ部Ｍを覆わず前記前足部Ｆおよび後足部Ｒに分かれて配置され、かつ、前記後足部Ｒにおいて中央部Ｒｃが欠損したＵ字状に形成されている。すなわち、後足部Ｒの中央部Ｒｃにはミッドソール２の表面にアウトソール１が設けられていない。【００４９】
ここで、「アウトソール１の中央部Ｒｃが欠損したＵ字状」とは、アウトソール１が複数の斜溝４および横断溝５により後足部Ｒにおいて複数のパーツに分離されていることを含み、更に、中央部Ｒｃにはアウトソール１が設けられておらず、かつ、後足部Ｒの前端においてアウトソール１が斜溝４で内外に分断されていることを意味する。
なお、中央部Ｒｃのだ円形状の領域においてミッドソール２は若干、凹んでいてもよい。【００５０】
図１〜図３において、前記斜溝４および横断溝５の底面には規則正しくない細かい網点が施されている。
ミッドソール２のアーチ部Ｍの内側部２０、前記ミッドソール２の後足部Ｒの中央部Ｒｃおよびアウトソール１の外側部１１において、斜溝４は前記アーチ部Ｍの内側ＩＮの内縁から前記後足部Ｒの外側ＯＵＴの外縁まで斜めの前後方向に延びる。【００５１】
前記斜溝４の前記中央部Ｒｃにおける最深部の深さは、例えば、５ｍｍ〜１０ｍｍ程度が好ましく、また、前記斜溝４の前記外側部１１における最深部の深さは、例えば、５ｍｍ〜１５ｍｍ程度が好ましい。深さが小さすぎると軽量化などの効果が十分に得られず、一方、深さが大きすぎると足の安定した支持が得られないからである。【００５２】
前記斜溝４の前記中央部Ｒｃにおける幅は、横断溝５の部位を除くと、例えば、５ｍｍ〜１５ｍｍ程度が好ましい。溝の幅が大きすぎると、ねじれ剛性の低下が大きくなり、一方、溝の幅が小さいと軽量化などの効果が得られないからである。【００５３】
図９に示すように、斜溝４はアーチ部Ｍにおいて内側ＩＮの内縁まで延びていなくてもよい。前記斜溝４が前記アーチ部Ｍのミッドソール２の内側部２０まで延びていない場合、前記アーチ部Ｍまたは前記後足部Ｒの前端よりも後方に前記斜溝４の前端が配置されていてもよい。【００５４】
図６において、距骨下関節軸Ａ１と長軸Ａ２とのなす角αは２３°±１１°であるといわれている。ここで、前記長軸Ａ２は、母趾球Ｏ１の中心と小趾球Ｏ５の中心との中点Ｏ３と踵の中心Ｏ４とを結んだ直線で表される。
一方、前記距骨下関節軸Ａ１は距骨頭Ｏ６と踵骨外側結節Ｏ７とを結んだ直線で表される。【００５５】
前記斜溝４は前記距骨下関節軸Ａ１に沿って形成されている。すなわち、図５の前記長軸Ａ２と前記斜溝４の仮想の中心ラインＬｃとのなす角βは１２°〜３５°の範囲に設定され、たとえば本実施例の場合、約３０°に設定されている。【００５６】
前記中心ラインＬｃと前記長軸Ａ２との仮想の交点Ｏは、前記アーチ部Ｍの後半部から前記後足部Ｒの前半部Ｒｆまでの領域に配置されている。これを寸法的な割合で表すと、図５の前記仮想の交点Ｏは靴底の前記長軸Ａ２上の全長に対し後端から２１％〜４３％の範囲に設定されている。前記斜溝４は前記交点Ｏよりも前方の内側および後方の外側まで延びている。【００５７】
本実施例の場合、前記仮想の交点Ｏの位置は後足部Ｒの中央部Ｒｃに設けられ、かつ、前記中央部Ｒｃの図心Ｇよりも前方に配置されている。かかる配置により、斜溝４が距骨下関節軸Ａ１(図６)上に配置される。なお、図心Ｇとは中央部Ｒｃの平面図形の中心をいう。【００５８】
前記斜溝４は前記交点Ｏよりも前方の前方部４Ｆと、前記交点Ｏよりも後方の後方部４Ｂとを有する。前記後方部４Ｂの斜溝４の容積Ｖｂは前記前方部４Ｆの斜溝４の容積Ｖｆよりも大きい。【００５９】
ここで、斜溝４の容積Ｖｂ，Ｖｆは斜溝４の横断面積に斜溝４の当該部位の長さを積分した値となる。したがって、例えば前記アーチ部Ｍの斜溝４は浅くなっており、前記中心ラインＬｃに直交する横断面積の平均値については図８Ａ〜図８Ｃに示すように、前記アーチ部Ｍの斜溝４の横断面積の平均値は、前記ミッドソール２の後足部Ｒの中央部Ｒｃの斜溝４のそれよりも小さい。【００６０】
本実施例の場合、図２のアーチ部Ｍにおいて斜溝４の深さは斜め前方に延びるに従い徐々に浅くなっている。また、図７Ａの後足部Ｒの中央部Ｒｃにおいて斜溝４の断面積が最も大きく、図７Ｂの後足部Ｒの後方では斜溝４の断面積が若干小さくてもよい。【００６１】
図５において、前記ミッドソール２の後足部Ｒの中央部Ｒｃに形成された斜溝４は一対の互いに平行で対面する第１および第２の縁のラインＬ１，Ｌ２で定義される。一方、前記アウトソール１に形成された斜溝４は、一対の互いに平行で対面する第３および第４の縁のラインＬ３，Ｌ４で定義される。【００６２】
本実施例の場合、前記第３および第４の縁のラインＬ３，Ｌ４は、それぞれ、前記第１および第２の縁のラインＬ１，Ｌ２に概ね平行であるが、図９に示すように第１および第２の縁のラインＬ１，Ｌ２が形成する角よりも大きな角で末広がりに形成されていてもよい。すなわち、前記アウトソール１の外側部１１の斜溝４は斜後方に向かって末広がりに形成されていてもよい。【００６３】
図５の前記横断溝５は斜溝４に対し直交する方向に延びており、本実施例の場合、横断溝５は斜溝４に直交するように配置されているが、横断溝５と斜溝４となす角は、７０°〜９０°程度に設定されていてもよい。【００６４】
前記横断溝５はＵ字状のアウトソール１の内側部１０および外側部１１において、前記アウトソール１を複数個に分離している。なお、図９に示すように、前記横断溝５は内側ＩＮから外側ＯＵＴに延びるに従い幅広に形成されていてもよい。【００６５】
図４の網点で示すように、前記ミッドソール２のアーチ部Ｍの下面には樹脂の非発泡体で形成された強化部材３が付着されている。前記強化部材３は前記斜溝４と概ね平行に延びる斜め部３１を有し、この斜め部３１は前記斜溝４の前方において前記斜溝４に接近して配置されている。前記斜め部３１はアーチ部Ｍから前足部Ｆの少なくとも後端まで延びていてもよい。【００６６】
前記強化部材３は前記アーチ部Ｍにおいて前記ミッドソール２の外側に沿って延びる外側部３２を更に備える。前記外側部３２と前記斜め部３１との間において前記ミッドソール２の下面である露出部２２が露出する。【００６７】
前記斜め部３１と外側部３２との間には両者３１，３２を連結する連結部３３が架設されている。すなわち前記ミッドソール２の露出部２２は前記斜め部３１、外側部３２および連結部３３に囲まれた領域において露出している。【００６８】
前記斜め部３１は斜溝４の上方において斜溝４に沿って配置されていればよく、したがって、図９のように、アーチ部Ｍの概ね全域を覆う強化部材３にも斜め部３１が存在する。【００６９】
以上のとおり、図面を参照しながら好適な実施例を説明したが、当業者であれば、本明細書を見て、自明な範囲で種々の変更および修正を容易に想定するであろう。
たとえば、アウトソール１は前足部Ｆから後足部Ｒまでの概ね全長にわたって、かつ、全域に設けられていてもよい。更に、アーチ部Ｍや後足部Ｒにおいてミッドソール２は露出していなくてもよい。強化部材３や横断溝５は設けなくてもよい。
したがって、そのような変更および修正は、請求の範囲から定まる本発明の範囲内のものと解釈される。
【産業上の利用可能性】
【００７０】
本発明はランニングなどの種々のアスレチックシューズに利用できる。
【符号の説明】
【００７１】
１：アウトソール  １ｓ：接地面  １０：内側部  １１：外側部
２：ミッドソール  ２ｕ：下面  ２０：内側部  ２２：露出部
３：強化部材  ３１：斜め部  ３２：外側部  ３３：連結部
４：斜溝  ４Ｆ：前方部  ４Ｂ：後方部                              
５：横断溝
Ａ１：距骨下関節軸  Ａ２：長軸
Ｌｃ：中心ライン  Ｌ１〜Ｌ４：第１〜第４ライン
Ｆ：前足部  
Ｒ：後足部  Ｒｃ：中央部  Ｒｆ：前半部
Ｍ：アーチ部  Ｍｂ：後半部
Ｏ：交点
Ｏ１：母趾球  Ｏ２：小趾球
ＩＮ：内側  ＯＵＴ：外側
α，β：角
【図１】
2013168259.tif 000003
【図２】
2013168259.tif 000004
【図３】
2013168259.tif 000005
【図４】
2013168259.tif 000006
【図５】
2013168259.tif 000007
【図６】
2013168259.tif 000008
【図７】
2013168259.tif 000009
【図８】
2013168259.tif 000010
【図９】
2013168259.tif 000011
【国際調査報告】
2013168259.tif 000012
2013168259.tif 000013